(57)【要約】【課題】固定溝の内部に複数の線状スプリングを積み上げ状態で挿入でき、それぞれの線状スプリングの固定溝から脱出を阻止できる簡易型構築物のシート固定用レールを提供すること。【解決手段】シート固定用レール１０は、シートの一部と、この一部を固定する線状スプリングとが挿入される固定溝１１を有し、固定溝１１は、底壁部１２と一対の湾曲部１３と一対の側壁部１４とを含んで形成され、側壁部１４は、湾曲部１３から固定溝１１の内側へ傾きながら延びる第１直線部１５と、第１直線部１５から固定溝１１の内側へ傾きながら延びる第２直線部１６と、第２直線部１６から固定溝１１の内外への傾斜角度をもたず又は殆どもたずに延びる第３直線部１７と、第３直線部１７の先端部に固定溝１１の内側へ突出形成された係止部１８とを含んで形成され、第２直線部１６の傾斜角度Ｒ２は、第１直線部１５の傾斜角度Ｒ１よりも大きい。【選択図】図５
2018157764.tif 000002
【特許請求の範囲】
【請求項１】
複数の棒状部材を含む部材により構築されて表面にシートが被せられる簡易型構築物の前記棒状部材に取り付けられ、前記シートの一部と、この一部を固定するための波形状又は略波形状の線状スプリングとが挿入される固定溝を有し、この固定溝が、底壁部と、この底壁部の幅方向両側に外側への湾曲状に形成されている一対の湾曲部と、これらの湾曲部から立ち上がっている一対の側壁部とを含んで形成されている簡易型構築物のシート固定用レールにおいて、
前記一対の側壁部のそれぞれが、前記湾曲部から前記固定溝の内側へ傾きながら延びていて、前記固定溝に対する傾斜角度が第１角度となっている第１直線部と、この第１直線部から前記固定溝の内側へ傾きながら延びていて、前記固定溝に対する傾斜角度が前記第１角度よりも大きい第２角度となっている第２直線部と、この第２直線部から前記固定溝の内外への傾斜角度をもたず又は殆どもたずに延びている第３直線部と、この第３直線部の先端部に前記固定溝の内側へ突出して形成されている係止部と、を含んで形成され、前記固定溝の内部に最多で３個の前記線状スプリングが前記一対の側壁部の立ち上がり方向に積み上げられた状態で挿入可能となっていることを特徴とする簡易型構築物のシート固定用レール。
【請求項２】
請求項１に記載の簡易型構築物のシート固定用レールにおいて、前記係止部における前記固定溝の内側への突出寸法は、前記係止部における前記底壁部の幅方向と直交する立ち上がり方向への高さ寸法よりも大きくなっていることを特徴する簡易型構築物のシート固定用レール。
【請求項３】
請求項１又は２に記載の簡易型構築物のシート固定用レールにおいて、前記一対の湾曲部のそれぞれの外面は、前記底壁部の外面よりも外方向へ突出していることを特徴とする簡易型構築物のシート固定用レール。
【請求項４】
請求項１〜３のいずれかに記載の簡易型構築物のシート固定用レールにおいて、前記底壁部の内面には、前記棒状部材の平坦面を通過してこの棒状部材の内部に挿入される止着具を位置合わせするための窪み部が形成されていることを特徴とする簡易型構築物のシート固定用レール。
【請求項５】
請求項４に記載の簡易型構築物のシート固定用レールにおいて、前記窪み部の位置と対応して前記底壁部の外面には、外方向へ突出する突起部が形成されていることを特徴とする簡易型構築物のシート固定用レール。
【請求項６】
請求項１又は２に記載の簡易型構築物のシート固定用レールにおいて、前記一対の湾曲部のそれぞれの外面は、前記底壁部の外面よりも外方向へ突出し、前記底壁部の内面には、前記棒状部材の平坦面を通過してこの棒状部材の内部に挿入される止着具を位置合わせするための窪み部が形成され、この窪み部の位置と対応して前記底壁部の外面には、外方向へ突出する突起部が形成され、この突起部の外方向への突出量は、前記一対の湾曲部のそれぞれの前記外面の外方向への突出量と同じなっていることを特徴とする簡易型構築物のシート固定用レール。
【請求項７】
請求項１又は２に記載の簡易型構築物のシート固定用レールにおいて、前記一対の湾曲部のそれぞれの外面は、前記底壁部の外面よりも外方向へ突出し、前記底壁部の内面には、前記棒状部材の平坦面を通過してこの棒状部材の内部に挿入される止着具を位置合わせするための窪み部が形成され、この窪み部の位置と対応して前記底壁部の外面には、外方向へ突出する突起部が形成され、この突起部の外方向への突出量は、前記一対の湾曲部のそれぞれの前記外面の外方向への突出量よりも小さくなっていることを特徴とする簡易型構築物のシート固定用レール。
【請求項８】
請求項４〜７のいずれかに簡易型構築物のシート固定用レールにおいて、前記窪み部は、前記底壁部の幅方向と直交する長さ方向へ連続する溝となっていることを特徴とする簡易型構築物のシート固定用レール。
【請求項９】
請求項１〜８のいずれかに記載の簡易型構築物のシート固定用レールにおいて、間隔をあけて互いに対向する２個の爪部を有していて、前記棒状部材を抱持してこの棒状部材に取り付けられる抱持部材の前記２個の爪部に、前記一対の側壁部の外面が係止されることにより、前記棒状部材に取り付けられることを特徴とする簡易型構築物のシート固定用レール。
【発明の詳細な説明】
【技術分野】
【０００１】
本発明は、簡易型構築物の表面に被せられるシートを固定するために用いられるシート固定用レールに係り、例えば、農業用ハウスや、簡易型倉庫、簡易型車庫等の簡易型構築物に利用することができるものである。
【背景技術】
【０００２】
下記の特許文献１には、複数の棒状部材を含む部材により構築される農業用ハウスの表面にシートを固定して被せるために用いられるシート固定用レールが示されている。簡易型構築物となっているこの農業用ハウスの棒状部材に取り付けられるこのシート固定用レールは、シートの一部と、この一部を固定するための波形状又は略波形状の線状スプリングとが挿入される固定溝を有しており、この固定溝は、底壁部と、この底壁部の幅方向両側に外側への湾曲した形状で形成されている一対の湾曲部と、これらの湾曲部から立ち上がっている一対の側壁部とを含んで形成されている。
【先行技術文献】
【特許文献】
【０００３】
【特許文献１】特開２００６−２６２７８４号公報
【発明の概要】
【発明が解決しようとする課題】
【０００４】
農業用ハウス等の簡易型構築物では、複数枚のシートが重なり合う箇所が生じ、このような箇所に配置されるシート固定用レールの固定溝の内部には、シート枚数と同じ個数の線状スプリングが一対の側壁部の立ち上がり方向に積み上げられた状態で挿入されることになり、このため、それぞれの線状スプリングがシートの緊張力等で固定溝の内部から脱出しないようにする工夫が求められる。
【０００５】
本発明の目的は、固定溝の内部に複数の線状スプリングを一対の側壁部の立ち上がり方向に積み上げた状態で挿入可能となり、それぞれの線状スプリングが固定溝の内部から脱出することを阻止できるようになる簡易型構築物のシート固定用レールを提供するところにある。
【課題を解決するための手段】
【０００６】
本発明に係る簡易型構築物のシート固定用レールは、複数の棒状部材を含む部材により構築されて表面にシートが被せられる簡易型構築物の前記棒状部材に取り付けられ、前記シートの一部と、この一部を固定するための波形状又は略波形状の線状スプリングとが挿入される固定溝を有し、この固定溝が、底壁部と、この底壁部の幅方向両側に外側への湾曲状に形成されている一対の湾曲部と、これらの湾曲部から立ち上がっている一対の側壁部とを含んで形成されている簡易型構築物のシート固定用レールにおいて、前記一対の側壁部のそれぞれが、前記湾曲部から前記固定溝の内側へ傾きながら延びていて、前記固定溝に対する傾斜角度が第１角度となっている第１直線部と、この第１直線部から前記固定溝の内側へ傾きながら延びていて、前記固定溝に対する傾斜角度が前記第１角度よりも大きい第２角度となっている第２直線部と、この第２直線部から前記固定溝の内外への傾斜角度をもたず又は殆どもたずに延びている第３直線部と、この第３直線部の先端部に前記固定溝の内側へ突出して形成されている係止部と、を含んで形成され、前記固定溝の内部に最多で３個の前記線状スプリングが前記一対の側壁部の立ち上がり方向に積み上げられた状態で挿入可能となっていることを特徴とするものである。
【０００７】
本発明に係る簡易型構築物のシート固定用レールにおいて、シートの一部を固定するために固定溝の内部に一対の側壁部の立ち上がり方向に積み上げられた状態で挿入される線状スプリングの個数は、最多で第１線状スプリングと第２線状スプリングと第３線状スプリングの３個であり、第１線状スプリングは、湾曲部の箇所又は第１直線部の箇所に挿入され、これらの箇所における第１線状スプリングの脱出方向には、湾曲部から固定溝の内側へ傾きながら延びていて、固定溝に対して傾斜している第１直線部や、第１直線部から固定溝の内側へ傾きながら延びていて、固定溝に対して傾斜している第２直線部が設けられているため、第１線状スプリングがシートの緊張力等で固定溝の内部から脱出することは、第１直線部や第２直線部により阻止される。また、第２線状スプリングは、第１直線部と第２直線部の間の箇所又は第２直線部の箇所に配置され、これらの箇所における第２線状スプリングの脱出方向には、第１直線部から固定溝の内側へ傾きながら延びていて、固定溝に対して傾斜している第２直線部が設けられているため、第２線状スプリングがシートの緊張力等で固定溝の内部から脱出することは、第２直線部により阻止される。さらに、第３線状スプリングは、第２直線部の箇所に配置され、この箇所における第３線状スプリングの脱出方向には、固定溝の内外への傾斜角度をもたず又は殆どもたずに延びている第３直線部が設けられているが、この第３直線部の先端部には、固定溝の内側へ突出している係止部が形成されているため、第３線状スプリングがシートの緊張力等で固定溝の内部から脱出することは、係止部により阻止される。
【０００８】
また、本発明に係る簡易型構築物のシート固定用レールでは、第３直線部が、上述のように第２直線部から固定溝の内外への傾斜角度をもたず又は殆どもたずに延びており、第１直線部から固定溝の内側へ傾きながら延びている第２直線部の固定溝に対する傾斜角度（第２角度）は、湾曲部から固定溝の内側へ傾きながら延びている第１直線部の固定溝に対する傾斜角度（第１角度）よりも大きくなっているため、前記３個の線状スプリングを収縮変形させて固定溝の内部に挿入する作業を容易に行える。
【０００９】
以上の簡易型構築物のシート固定用レールにおいて、係止部における固定溝の内側への突出寸法と、係止部における底壁部の幅方向と直交する立ち上がり方向への高さ寸法との関係は、任意に設定することができ、その一例として、係止部における固定溝の内側への突出寸法を、係止部における底壁部の幅方向と直交する立ち上がり方向への高さ寸法よりも大きくしてもよい。
【００１０】
これによると、第３線状スプリングが固定溝の内部から脱出することを係止部により一層有効に防止できるとともに、重ねられた３枚のシートを通過させることができる充分に大きなスペースを、係止部と第３線状スプリングとの間に設けることができるようになる。
【００１１】
また、一対の湾曲部のそれぞれの外面を、底壁部の外面よりも外方向へ突出させてもよい。
【００１２】
これによると、本発明に係るシート固定用レールを棒状部材の平坦面に取り付ける際に、一対の湾曲部のそれぞれの外面がこの平坦面に接触するため、このシート固定用レールを平坦面に対して安定させた状態で、棒状部材へのシート固定用レールの取付作業を行えることになる。
【００１３】
また、底壁部の内面には、前記棒状部材の平坦面を通過してこの棒状部材の内部に挿入される止着具を位置合わせするための窪み部を形成してもよい。
【００１４】
これによると、棒状部材の平坦面を通過してこの棒状部材の内部に挿入される止着具により、本発明に係るシート固定用レールを棒状部材の平坦面に取り付けることができるようになるとともに、この作業を、止着具の位置合わせ部とした窪み部により簡単かつ容易に行える。
【００１５】
また、このように底壁部の内面に、棒状部材の平坦面を通過してこの棒状部材の内部に挿入される止着具を位置合わせするための窪み部を形成する場合には、この窪み部を形成するための加工等の理由により、窪み部の位置と対応して底壁部の外面に、外方向へ突出する突起部が形成されてもよい。
【００１６】
このように窪み部の位置と対応して底壁部の外面に、外方向へ突出する突起部が形成されていると、窪み部を位置合わせ部とした止着具により、本発明に係るシート固定用レールを棒状部材の平坦面に取り付ける作業を行う際に、止着具から底壁部に作用する荷重が、突起部を介して棒状部材の平坦面によって受けられるため、この止着具による取付作業を容易に行える。
【００１７】
また、一対の湾曲部のそれぞれの外面を、底壁部の外面よりも外方向へ突出させ、底壁部の内面には、棒状部材の平坦面を通過してこの棒状部材の内部に挿入される止着具を位置合わせするための窪み部を形成し、この窪み部の位置と対応して底壁部の外面に外方向へ突出する突起部が形成される場合には、この突起部の外方向への突出量と、一対の湾曲部のそれぞれの外面の外方向への突出量とを同じにしてもよい。
【００１８】
これによると、本発明に係るシート固定用レールを棒状部材の平坦面に取り付ける際に、一対の湾曲部のそれぞれの外面と突起部とがこの平坦面に接触するため、このシート固定用レールを平坦面に対して３点支持により安定させた状態にできるとともに、シート固定用レールを窪み部を位置合わせ部とした止着具で棒状部材の平坦面に取り付ける作業を行う際に、止着具から底壁部に作用する荷重が、突起部を介して棒状部材の平坦面によって受けられるため、この取付作業を容易に行える。
【００１９】
また、以上のように一対の湾曲部のそれぞれの外面を、底壁部の外面よりも外方向へ突出させ、底壁部の内面には、棒状部材の平坦面を通過してこの棒状部材の内部に挿入される止着具を位置合わせするための窪み部を形成し、この窪み部の位置と対応して底壁部の外面に、外方向へ突出する突起部が形成される場合には、この突起部の外方向への突出量を、一対の湾曲部のそれぞれの外面の外方向への突出量よりも小さくしてもよい。
【００２０】
これによると、突起部の外方向への突出量を、一対の湾曲部のそれぞれの外面の外方向への突出量と同じにしなくてもよくなり、これらの突出量についての寸法管理が容易になるため、本発明に係るシート固定用レールの製造を容易に行える。また、シート固定用レールを棒状部材の平坦面に取り付ける作業を行う際において、一対の湾曲部のそれぞれの外面により、シート固定用レールを棒状部材の平坦面に２点支持により安定させて接触させることができるとともに、窪み部を位置合わせ部とした止着具でシート固定用レールを棒状部材の平坦面に取り付けるための作業を行う際には、止着具から底壁部に作用する荷重により、シート固定用レールの底壁部が棒状部材の平坦部側へ弾性突出変形することで、この荷重を突起部を介して棒状部材の平坦面で受けさせることができるため、この取付作業を容易に行える。
【００２１】
なお、止着具の位置合わせ部として利用される窪み部は、底壁部の幅方向と直交するシート固定用レールの長さ方向へ連続する溝として形成されているものでもよく、あるいは、このシート固定用レールの長さ方向に点在している設けられる凹部等でもよい。
【００２２】
また、止着具の位置合わせ部として利用される窪み部を、底壁部の幅方向と直交するシート固定用レールの長さ方向へ連続する溝として形成する場合には、このシート固定用レールを金属板材のロールフォーミング成形や、アルミ又はアルミ合金の押し出し成形又は引き抜き成形により形成する際に、この成形加工と同時に窪み部を形成できるようになる。
【００２３】
さらに、本発明に係るシート固定用レールは、上述した止着具により棒状部材の平坦面に取り付けることができるが、この止着具以外の部材を用いて棒状部材に取り付けてもよい。
【００２４】
その一例の部材は、間隔をあけて互いに対向する２個の爪部を有していて、棒状部材を抱持するようになっている包持部材であり、この包持部材を用いる場合には、２個の爪部に、本発明に係るシート固定用レールに設けられている一対の側壁部の外面が係止されることにより、このシート固定用レールは、包持部材を介して棒状部材に取り付けられる。
【００２５】
以上説明したことから分かるように、本発明に係るシート固定用レールは、金属板材のロールフォーミング成形により製造でき、また、アルミ又はアルミ合金の押し出し成形又は引き抜き成形によっても製造できる。
【００２６】
また、本発明に係るシート固定用レールは、複数の棒状部材を含む部材により構築されて表面にシートが被せられる簡易型構築物に適用でき、この簡易型構築物は、例えば、野菜や果実を栽培するための農業用ハウスでもよく、簡易型倉庫でもよく、簡易型車庫でもよい。
【発明の効果】
【００２７】
本発明によると、固定溝の内部に複数の線状スプリングを一対の側壁部の立ち上がり方向に積み上げた状態で挿入可能となり、それぞれの線状スプリングが固定溝の内部から脱出することを阻止できるという効果を得られる。
【図面の簡単な説明】
【００２８】
【図１】図１は、本発明の一実施形態に係るシート固定用レールが用いられた簡易型構築物となっている農業用ハウスを示す斜視図であって、シートが被せられる前の状態示す図である。
【図２】図２は、農業用ハウスの出入口が設けられている部分を示す図１の一部拡大図である。
【図３】図３は、農業用ハウスの地際部分を示す図１の一部拡大図である。
【図４】図４は、農業用ハウスの肩部分を示す図１の一部拡大図である。
【図５】図５は、シート固定用レールを示す側面図である。
【図６】図６は、線状スプリングを示す斜視図である。
【図７】図７は、シート固定用レールを棒状部材の平坦面に止着具で取り付ける前を示す側面図である。
【図８】図８は、シート固定用レールを棒状部材の平坦面に止着具で取り付けた後を示す側面図である。
【図９】図９は、シート固定用レールを棒状部材に取り付けるために用いる包持部材と楔部材を示す斜視図である。
【図１０】図１０は、図２で示す部分に配置され、固定溝に挿入される線状スプリングの個数が１個となっているシート固定用レールについて示す側面図である。
【図１１】図１１は、図３で示す部分に配置され、固定溝に挿入される線状スプリングの個数が２個となっているシート固定用レールについて示す側面図である。
【図１２】図１２は、図４に示す部分に配置され、固定溝に挿入される線状スプリングの個数が３個となっているシート固定用レールについて示す側面図である。
【図１３】図１３は、図５で示されている一対の湾曲部の外面の外方向への突出量と、突起部の外方向への突出量との関係についての別実施形態を示す図７と同様の図である。
【発明を実施するための形態】
【００２９】
以下に本発明を実施するための形態を図面に基づいて説明する。本実施形態の簡易型構築物は、野菜や果実等の農産物を生産するための農業用ハウスであり、図１には、この農業用ハウスの骨組みが示され、この骨組みは、農業用ハウスの表面にシートを被せる前のときの状態で示されている。農業用ハウスの骨組みは、多数の棒状部材１を組み合わせることにより形成され、棒状部材１には、農業用ハウスの出入口２が形成されている正面において、鉛直に立設されている鉛直棒状部材３と、上向きに湾曲したアーチ状となっていて、前後方向に間隔をあけて複数本が並設されているアーチ状棒状部材４と、これらのアーチ状棒状部材４と９０度の角度をなして交差配設され、前後方向へ水平に延びている母屋棒状部材５とがあり、母屋棒状部材５は、アーチ状棒状部材４の長さ方向に間隔を開けて複数本設けられている。鉛直棒状部材３は、角パイプ材であり、アーチ状棒状部材４と母屋棒状部材５は、丸パイプ材である。
【００３０】
図２は、図１における農業用ハウスの正面部分Ａの拡大図であり、この正面部分Ａに配設されている鉛直棒状部材３の平坦面３Ａには、止着具であるテックスビス６により、左右方向へ延びるシート固定用レール１０が取り付けられている。また、図３は、図１における農業用ハウスの地際部分Ｂの拡大図であり、図４は、図１における農業用ハウスの肩部分Ｃの拡大図であり、これらの地際部分Ｂと肩部分Ｃには、前後方向に延びるシート固定用レール１０が抱持部材７を介してアーチ状棒状部材４に取り付けられている。
【００３１】
以上の正面部分Ａと地際部分Ｂと肩部分Ｃに配置されているシート固定用レール１０は、金属板材をロールフォーミング成形することで製造されたレール素材を所定寸法で切断したものである。これらのシート固定用レール１０は、図５に示されているように、後述するシート（図１０〜図１２を参照）の一部と、この一部を固定するための波形状又は略波形状の線状スプリング（図６を参照）とが挿入される固定溝１１を有しており、この固定溝１１は、底壁部１２と、この底壁部１２の幅方向両側に外側への湾曲状に形成されている一対の湾曲部１３と、これらの湾曲部１３から立ち上がっている一対の側壁部１４とにより形成されている。
【００３２】
また、それぞれの側壁部１４は、湾曲部１３から固定溝１１の内側へ傾きながら延びている第１直線部１５と、この第１直線部１５から固定溝１１の内側へ傾きながら延びている第２直線部１６と、この第２直線部１６から固定溝１１の内外への傾斜角度をもたず又は殆どもたずに延びている第３直線部１７と、この第３直線部１７の先端部に固定溝１１の内側へ突出して形成されている係止部１８とにより形成されている。そして、第１直線部１５の固定溝１１に対する傾斜角度は、第１角度Ｒ１であり、第２直線部１６の固定溝１１に対する傾斜角度は、第２角度Ｒ２であり、この第２角度Ｒ２は、第１角度Ｒ１よりも大きくなっている。
【００３３】
また、係止部１８における固定溝１１の内側への突出寸法は、Ｌ１であり、係止部１８における底壁部１２の幅方向と直交する立ち上がり方向への高さ寸法は、Ｌ２であり、突出寸法Ｌ１は、高さ寸法Ｌ２よりも大きくなっている。
【００３４】
また、それぞれの湾曲部１３のそれぞれの外面１３Ａは、底壁部１２の外面１２Ａよりも外方向へ突出している。さらに、底壁部１２の内面１２Ｂには、図２で示したテックスビス６を位置合わせするための窪み部１９が形成されており、この窪み部１９の位置と対応して底壁部１２の外面には、外方向へ突出する突起部２０が形成され、これらの窪み部１９と突起部２０は、シート固定用レール１０の長さ方向に連続するものとなっている。なお、突起部２０は、前述したように金属板材をロールフォーミング成形することでレール素材を製造するときに、このレール素材にＶ字状又はＵ字状の溝となって窪み部１９が形成されると同時に、このロールフォーミング成形加工により自ずと形成されたものでもよく、あるいは、意図して形成したものでもよい。
【００３５】
図５に示されているように、湾曲部１３の外面１３Ａが底壁部１２の外面１２Ａから外方向へ突出している突出量は、Ｈ１であり、突起部２０が底壁部１２の外面１２Ａから外方向へ突出している突出量は、Ｈ２であり、これらの突出量Ｈ１と突出量Ｈ２は、同じになっている。したがって、湾曲部１３の外面１３Ａと突起部２０は、底壁部１２の外面１２Ａよりも外方向へ同じ寸法分だけ突出している。
【００３６】
図６には、シート固定用レール１０の固定溝１１に挿入されることにより、この固定溝１１に一部が挿入されるシートをシート固定用レール１０に固定するための線状スプリング３０が示されている。この線状スプリング３０は、断面が円形の金属線材を波形状又は略波形状に折り曲げ加工することにより、波形状又は略波形状の凹凸を長さ方向に連続させたものであり、凹凸の方向である幅方向に弾性的に収縮拡張変形可能となっている。このため、幅方向に弾性的に収縮変形させることにより、線状スプリング３０をシート固定用レール１０の固定溝１１に挿入することができ、この挿入後は、弾性的に拡張変形する線状スプリング３０が、固定溝１１の内部で拡張して一対の側壁部１４の内面に密着するようになっている（図１０〜図１２を参照）。なお、シート固定用レール１０の湾曲部１３の曲率半径は、線状スプリング３０の断面の曲率半径と同じ又は略同じになっている。
【００３７】
図７及び図８には、農業用ハウスの骨組みを形成するための棒状部材１の一つとなっている図２の鉛直棒状部材３にシート固定用レール１０を取り付けるための作業が示されている。この鉛直棒状部材３は角パイプ材によるものであるため、鉛直棒状部材３は平坦面３Ａの外面を有しており、鉛直棒状部材３にシート固定用レール１０を取り付けるためには、最初に、図７に示されているように、この平坦面３Ａにシート固定用レール１０の底壁部１２側を押し当てる。この底壁部１２の幅方向両側では、図５で説明したように、２個の湾曲部１３の外面１３Ａが底壁部１２の外面１２Ａから突出量Ｈ１で外方向へ突出しており、この突出量Ｈ１は、底壁部１２の外面１２Ａに設けられている突起部２０の突出量Ｈ２と同じであるため、平坦面３Ａにシート固定用レール１０の底壁部１２側を押し当てると、２個の湾曲部１３の外面１３Ａと１個の突起部２０が平坦面３Ａに接触するため、この平坦面３Ａに対してシート固定用レール１０は３点支持により接触する。
【００３８】
この後に、図８に示されているように、テックスビス６を、シート固定用レール１０の底壁部１２の内面１２Ｂに設けられている窪み部１９をこのテックスビス６の位置合わせ部にして、この窪み部１９に当てるとともに、電動工具等によりテックスビス６を回転させ、底壁部１２を貫通させたテックスビス６の軸部を鉛直棒状部材３の平坦面３Ａを通過させて、この鉛直棒状部材３の内部に挿入する。これにより、シート固定用レール１０は、止着具であるテックスビス６により、鉛直棒状部材３の平坦面３Ａに取り付けられる。
【００３９】
このようにシート固定用レール１０をテックスビス６で鉛直棒状部材３の平坦面３Ａに取り付けるときには、上述したようにシート固定用レール１０は平坦面３Ａに３点支持により接触していて、平坦面３Ａに対してシート固定用レール１０が安定しているため、この取付作業を容易に行える。
【００４０】
また、電動工具等によりテックスビス６を回転させ、このテックスビス６の軸部を、シート固定用レール１０の底壁部１２及び鉛直棒状部材３の平坦面３Ａを貫通させて鉛直棒状部材３の内部に挿入させるためには、テックスビス６に底壁部１２側への押圧荷重を作用させることになるが、本実施形態では、底壁部１２の外面１２Ａに設けられている突起部２０が平坦面３Ａに接触しているため、テックスビス６でシート固定用レール１０を平坦面３Ａに取り付けるための作業を、テックスビス６から底壁部１２に作用する押圧荷重が突起部２０を介して鉛直棒状部材３の平坦面３Ａで受けられながら行えることになり、底壁部１２の外面１２Ａに突起部２０が設けられていない場合には、底壁部１２が平坦面３Ａ側へ大きく弾性変形することになるため、底壁部１２の外面１２Ａに突起部２０を設けることにより、テックスビス６でシート固定用レール１０を平坦面３Ａに取り付ける作業を容易に行える。
【００４１】
図９は、図３及び図４で示したように、シート固定用レール１０をアーチ状棒状部材４に取り付けるために用いる包持部材７を示す。金属板材の打ち抜き、折り曲げで形成されているこの包持部材７は、一対の側面部７Ａと、これらの側面部７Ａ同士を繋ぐ上下２個の連結部７Ｂとを有するものとなっており、これらの連結部７Ｂには、上下の間隔をあけて２個の爪部７Ｃが形成されている。一対の側面部７Ａによりアーチ状棒状部材４を挟み、上下２個の連結部７Ｂの間にシート固定用レール１０を通し、一対の側面部７Ａに形成されている孔部７Ｄに楔部材８を挿入して打ち込むことにより、図３及び図４に示されているように、包持部材７は、アーチ状棒状部材４を包持してこのアーチ状棒状部材４に取り付けられるとともに、底壁部１２の外面１２Ａがアーチ状棒状部材４に接触したシート固定用レール１０は、包持部材７の２個の爪部７Ｃが一対の側壁部１４の外面に係止することにより、包持部材７を介してアーチ状棒状部材４に取り付けられることになる。
【００４２】
図１０〜図１２には、シート固定用レール１０の固定溝１１の内部に合成樹脂製のシート４１〜４５の一部を線状スプリング３０により固定したときの状態が示されており、図１０は、図２で示した農業用ハウスの正面部分Ａに配設されているシート固定用レール１０についてであり、図１１は、図３で示した農業用ハウスの地際部分Ｂに配設されているシート固定用レール１０についてであり、図１２は、図４で示した農業用ハウスの肩部分Ｃに配設されるシート固定用レール１０についてである。
【００４３】
図１２に示されているように、本実施形態に係るシート固定用レール１０の固定溝１１の内部に挿入される線状スプリング３０の個数は、一対の側壁部１４の立ち上がり方向に積み上げられた状態で、最多で第１線状スプリング３０Ａと第２線状スプリング３０Ｂと第３線状スプリング３０Ｃの３個となっている。
【００４４】
図１０には、農業用ハウスの正面部分Ａに配設されたシート固定用レール１０の固定溝１１の内部に、農業用ハウスの正面全体を覆うように被せられた第１シート４１の一部４１Ａが挿入され、この一部４１Ａが、固定溝１１の内部に挿入された第１線状スプリング３０Ａにより、シート固定用レール１０に固定されている状態が示されている。第１線状スプリング３０Ａには、第１シート４１の緊張力等が作用することがあり、このため、第１線状スプリング３０Ａには、固定溝１１の内部からの脱出力が作用する場合がある。
【００４５】
しかし、第１線状スプリング３０Ａは、シート固定用レール１０の湾曲部１３の箇所、又は側壁部１４の第１直線部１５の箇所に挿入され、これらの箇所における第１線状スプリング３０Ａの脱出方向には、湾曲部１３から固定溝１１の内側へ傾きながら延びていて、固定溝に対して傾斜している第１直線部１５や、第１直線部１５から固定溝１１の内側へ傾きながら延びていて、固定溝１１に対して傾斜している第２直線部１６が設けられているため、第１線状スプリング３０Ａが第１シート４１の緊張力等で固定溝１１の内部から脱出することは、第１直線部１５や第２直線部１６により阻止される。
【００４６】
なお、本実施形態に係るシート固定用レール１０では、一対の側壁部１４の先端部に設けられた係止部１８における固定溝１１側の側面１８Ａは、固定溝１１側へ滑らかに湾曲突出した形状となっており、また、係止部１８における固定溝１１側とは反対側の先端面１８Ｂは、固定溝１１の幅方向外側へ延びるにしたがって固定溝１１から離れる方向に傾斜しているため、第１線状スプリング３０Ａで固定溝１１に固定されて係止部１８の表面で案内される第１シート４１には、過度の引張力や荷重等が作用することはなく、この第１シート４１が破損等することを防止できるようになっている。
【００４７】
本実施形態に係るシート固定用レール１０は、前述したように、金属板材をロールフォーミング成形することで製造したレール素材を所定寸法で切断したものであるため、係止部１８は、金属板材がカール加工されることにより形成されている。しかし、本発明に係るシート固定用レールは、アルミ又はアルミ合金の押し出し成形又は引き抜き成形により製造したレール素材を所定寸法で切断したものでもよく、このようにして得られたシート固定用レールでも、上述の側面１８Ａ及び先端面１８Ｂを有する係止部１８を形成することができる。
【００４８】
図１１に示されている農業用ハウスの地際部分Ｂに配設されているシート固定用レール１０の固定溝１１の内部には、農業用ハウスが設置されている地面の内部に下部が埋め込まれている第２シート４２の上部４２Ａが挿入されており、この上部４２Ａが、固定溝１１の内部に挿入された第１線状スプリング３０Ａにより、シート固定用レール１０に固定されている。また、固定溝１１の内部には、第３シート４３の下部４３Ａも挿入され、この下部４３Ａは、第１線状スプリング３０Ａに積み上げられた状態で固定溝１１の内部に挿入された第２線状スプリング３０Ｂにより、シート固定用レール１０に固定されている。この第２線状スプリング３０Ｂにも、第３シート４３に作用する緊張力等により、固定溝１１の内部からの脱出力が作用する場合がある。
【００４９】
しかし、第２線状スプリング３０Ｂは、シート固定用レール１０の側壁部１４における第１直線部１５と第２直線部１６の間の箇所、又は第２直線部１６の箇所に配置され、これらの箇所における第２線状スプリング３０Ｂの脱出方向には、第１直線部１５から固定溝１１の内側へ傾きながら延びていて、固定溝１１に対して傾斜している第２直線部１６が設けられているため、第２線状スプリング３０Ｂが第３シート４３の緊張力等で固定溝１１の内部から脱出することは、第２直線部１６により阻止される。
【００５０】
図１２に示されている農業用ハウスの肩部分Ｃに配設されているシート固定用レール１０の固定溝１１の内部には、図１１で示した第３シート４３の上部４３Ｂが挿入され、この上部４３Ｂが、固定溝１１の内部に挿入された第１線状スプリング３０Ａにより、シート固定用レール１０に固定されている。また、固定溝１１の内部には、第３シート４３を覆う第４シート４４の上部４４Ａも挿入され、この上部４４Ａは、第１線状スプリング３０Ａに積み上げられた状態で固定溝１１の内部に挿入された第２線状スプリング３０Ｂにより、シート固定用レール１０に固定されている。さらに、固定溝１１の内部には、農業用ハウスの棟部から下方へ延びていてこの農業用ハウスの表面に被せられている第５シート４５の下部４５Ａも挿入され、この下部４５Ａは、第２線状スプリング３０Ｂに積み上げられた状態で固定溝１１の内部に挿入された第３線状スプリング３０Ｃにより、シート固定用レール１０に固定されている。この第３線状スプリング３０Ｃにも、第５シート４５に作用する緊張力等により、固定溝１１の内部からの脱出力が作用する場合がある。
【００５１】
この第３線状スプリング３０Ｃは、シート固定用レール１０の側壁部１４における第２直線部１６の箇所に配置され、この箇所における第３線状スプリング３０Ｃの脱出方向には、固定溝１１の内外への傾斜角度をもたず又は殆どもたずに延びている第３直線部１７が設けられているが、この第３直線部１７の先端部には、固定溝１１の内側へ突出している係止部１８が形成されているため、第３線状スプリング３０Ｃが第５シート４５の緊張力等で固定溝１１の内部から脱出することは、係止部１８により阻止される。
【００５２】
以上の説明から分かるように、シート固定用レール１０の固定溝１１の内部に最多で３個の線状スプリング３０Ａ，３０Ｂ，３０Ｃを側壁部１４の立ち上がり方向に積み上げた状態で挿入しても、これらの線状スプリング３０Ａ，３０Ｂ，３０Ｃが固定溝１１の内部から脱出することを防止できることになる。
【００５３】
また、３個の線状スプリング３０Ａ，３０Ｂ，３０Ｃをシート固定用レール１０の固定溝１１の内部に挿入するためには、これらの線状スプリング３０Ａ，３０Ｂ，３０Ｃを幅方向に弾性的に収縮変形させて、シート固定用レール１０の一対の側壁部１４の先端部に設けられている２個の係止部１８の間を通過させなければならないが、本実施形態に係るシート固定用レール１０では、図５で説明したように、係止部１８が設けられている第３直線部１７が、上述のように第２直線部１６から固定溝１１の内外への傾斜角度をもたず又は殆どもたずに延びており、また、第１直線部１５から固定溝１１の内側へ傾きながら延びている第２直線部１６の固定溝１１に対する傾斜角度（前記第２角度Ｒ２）は、湾曲部１３から固定溝１１の内側へ傾きながら延びている第１直線部１５の固定溝１１に対する傾斜角度（前記第１角度Ｒ１）よりも大きくなっているため、２個の係止部１８の間隔を、幅方向に弾性的に収縮変形させた線状スプリング３０Ａ，３０Ｂ，３０Ｃを通過させることができる大きさにすることができる。
【００５４】
すなわち、係止部１８が設けられている第３直線部１７を、第２直線部１６から固定溝１１の内側へ傾きながら延びるものとしたり、第２角度Ｒ２を第１角度Ｒ１と同じ又はこれよりも小さくした場合には、２個の係止部１８の間隔が小さくなってしまうため、これら係止部１８の間を、幅方向に弾性的に収縮変形させた線状スプリング３０Ａ，３０Ｂ，３０Ｃが通過することは困難になるが、本実施形態のシート固定用レール１０では、このような問題を解決することができる。
【００５５】
さらに、本実施形態に係るシート固定用レール１０では、図５で説明したように、係止部１８における固定溝１１の内側への突出寸法Ｌ１は、係止部１８における底壁部１２の幅方向と直交する立ち上がり方向への高さ寸法Ｌ２よりも大きくなっている。このため、第３線状スプリング３０Ｃが固定溝１１の内部から脱出するために必要となる係止部１８の突出寸法Ｌ１を確保しながら、図１２に示されているように、重ねられた第３シート４３と第４シート４４と第５シート４５の３枚のシートを通過させることができる充分に大きなスペースを、係止部１８と第３線状スプリング３０Ｃとの間に設けることができる。
【００５６】
なお、農業用ハウスの地際部分Ｂと肩部分Ｃとの間の表面を覆うように被せられている図１１及び図１２の第３シート４３は、通気性を確保するために全部又は一部がメッシュとなっているメッシュシートである。この第３シート４３の上に被せられている第４シート４４の上部４４Ａは、図１２で説明したように、農業用ハウスの肩部分Ｃに配設されているシート固定用レール１０の固定溝１１に第２線状スプリング３０Ｂで固定されており、この第４シート４４の下部は、図１で示す支柱５０や昇降手段５１等で構成された巻取装置に連結されている。
【００５７】
この巻取装置は、支柱５０に配置された昇降手段５１がハンドル５２の回転操作により支柱５０に沿って昇降動し、この昇降動に伴い、昇降手段５１に連結された巻取軸５３が正逆回転するものである。巻取軸５３には、第４シート４４の下端部が連結されているため、巻取軸５３の正逆回転により、この巻取軸５３によって第４シート４４の巻き取り、繰り出しが行われ、これにより、天候等に応じて、メッシュシートである第３シート４３の一部又は全部を露出させたり、第４シート４４により覆うことができる。
【００５８】
図１３は、図５で示した一対の湾曲部１３のそれぞれの外面１３Ａの外方向への突出量Ｈ１と、突起部２０の外方向への突出量Ｈ２との関係についての別実施形態を示している。前述した実施形態では、突出量Ｈ１と突出量Ｈ２は同じであったが、この実施形態では、突出量Ｈ２は、突出量Ｈ１よりも小さくなっている。
【００５９】
このため、この実施形態によると、シート固定用レール１０を製造する際に、一対の湾曲部１３のそれぞれの外面１３Ａの外方向への突出量Ｈ１と、突起部２０の外方向への突出量Ｈ２とを同じにするという寸法管理をしなくてもよくなり、このため、シート固定用レール１０の製造が容易になる。
【００６０】
また、シート固定用レール１０を鉛直棒状部材３の平坦面３Ａに前述したテックスビス６で取り付ける際に、シート固定用レール１０の底壁部１２側を平坦面３Ａに押し当てると、突起部２０と平坦面３Ａとの間に隙間Ｓが生じ、一対の湾曲部１３のそれぞれの外面１３Ａが平坦面３Ａに接触することで、２点支持によりシート固定用レール１０は平坦面３Ａに安定して接触する。また、窪み部１９を位置合わせ部としたテックスビス６により、シート固定用レール１０を鉛直棒状部材３の平坦面３Ａに取り付けるときには、テックスビス６から底壁部１２に作用する荷重によってこの底壁部１２が平坦面３Ａ側へ隙間Ｓ分だけ弾性突出変形すると、突起部２０は平坦面３Ａに接触するため、テックスビス６から底壁部１２に作用する荷重は、突起部２０を介して平坦面３Ａで受けられることになり、このため、シート固定用レール１０を平坦面３Ａにテックスビス６で取り付ける作業を容易に行える。
【産業上の利用可能性】
【００６１】
本発明は、農業用ハウスや、簡易型倉庫、簡易型車庫等の簡易型構築物の表面に被せられるシートを固定するために利用することができる。
【符号の説明】
【００６２】
１  棒状部材
３  棒状部材である鉛直棒状部材
３Ａ  平坦面
４  棒状部材であるアーチ状棒状部材
６  止着具であるテックスビス
７  包持部材
１０  シート固定用レール
１１  固定溝
１２  底壁部
１２Ａ  外面
１２Ｂ  内面
１３  湾曲部
１３Ａ  外面
１４  側壁部
１５  第１直線部
１６  第２直線部
１７  第３直線部
１８  係止部
１９  窪み部
２０  突起部
３０  線状スプリング
４１〜４５  シート
Ｒ１  第１角度
Ｒ２  第２角度
Ｌ１  係止部における固定溝の内側への突出寸法
Ｌ２  係止部における底壁部の幅方向と直交する立ち上がり方向への高さ寸法
Ｈ１  湾曲部の外面の外方向への突出量
Ｈ２  突起部の外方向への突出量
【図１】
2018157764.tif 000003
【図２】
2018157764.tif 000004
【図３】
2018157764.tif 000005
【図４】
2018157764.tif 000006
【図５】
2018157764.tif 000007
【図６】
2018157764.tif 000008
【図７】
2018157764.tif 000009
【図８】
2018157764.tif 000010
【図９】
2018157764.tif 000011
【図１０】
2018157764.tif 000012
【図１１】
2018157764.tif 000013
【図１２】
2018157764.tif 000014
【図１３】
2018157764.tif 000015